(57)【要約】【課題】多様な長さの透水孔に対応することができ、容易且つ確実に透水孔に固定することができる透水孔カバーの提供。【解決手段】透水孔カバー５は、カバー本体６にカバー板８の両側縁に支持された一対の係止片９，９を備え、取り付け具７に両係止片９，９に支持されてカバー板８下にスライド可能に挿入されたスライド駒１２を備え、スライド駒１２をスライドさせて任意の取り付け作業用孔１０の位置に合わせた状態とし、カバー本体６を透水孔３の表面側開口部に嵌合させ、締め付けボルト１３を締め付け、係合部材１４を透水孔３の内側面又は水路側開口縁部と係合させるようにした。【選択図】図２
2020016108.tif 000002
【特許請求の範囲】
【請求項１】
コンクリート体に形成された透水孔の表面側開口部に嵌合されるカバー本体と、該カバー本体を前記透水孔に固定するための１又は複数の取り付け具とを備えた透水孔カバーにおいて、
前記カバー本体は、取り付け作業用孔を有するカバー板と、該カバー板の両側縁に支持された一対の係止片とを備え、
前記取り付け具は、
前記両係止片に支持されて前記カバー板下にスライド可能に挿入されたスライド駒と、
該スライド駒に締め付けボルトを介して支持され、該締め付けボルトの締め付けによって前記透水孔の内側面又は水路側開口縁部と係合する係合部材とを備え、
前記スライド駒をスライドさせて任意の前記取り付け作業用孔の位置に合わせた状態とし、前記カバー本体を前記透水孔の表面側開口部に嵌合させ、前記締め付けボルトを締め付け、前記係合部材を前記透水孔の内側面又は水路側開口縁部と係合させるようにしたことを特徴とする透水孔カバー。
【請求項２】
前記スライド駒は、前記両係止片の下端より下向きに突出する転倒防止凸部を備えている請求項１に記載の透水孔カバー。
【請求項３】
前記係止片は、互いに斜め下内向きに突出した傾斜板部を有する形状に形成され、前記スライド駒には、前記締め付けボルトの回転に連動して前記傾斜板部を押圧し、前記透水孔の開口縁部に形成された面取り部に当接させる押圧部を備えている請求項１又は２に記載の透水孔カバー。
【請求項４】
前記係合部材は、前記締め付けボルトの回転によってボルト軸方向に移動する係合操作部材と、前記締め付けボルトの前記スライド駒と前記係合操作部材との間に挿通された基板の両側縁より一対の弾性片部が下向きに延出してなる係合部材とを備え、
前記締め付けボルトを回転させ、前記係合操作部材を前記弾性片部間に移動させることによって、前記係合操作部材に押圧されて前記弾性片部が前記透水孔の内面に係合するようにした請求項１〜３の何れか一に記載の透水孔カバー。
【発明の詳細な説明】
【技術分野】
【０００１】
本発明は、主に側溝を構成するコンクリートブロック体に形成された透水孔を被覆する透水孔カバーに関する。
【背景技術】
【０００２】
道路の側溝には、側溝を構成するコンクリート版又は中空函状のコンクリート体の上面に透水孔が形成され、雨天等により発生した水がこの透水孔より側溝内の水路に流れ込むようになっている。
【０００３】
しかし、透水孔の縁部は、コンクリートが打ちさらしの状態にあるので、開口縁部が欠損し易く、透水孔の開口縁部が欠損することによって、透水孔の孔幅が広がってしまったり、見栄えが悪くなったりするという問題があり、また、ハイヒールの踵部分や車椅子の車輪が嵌ってしまい転倒する等の危険性があるという問題があった。
【０００４】
また、透水孔によっては、開口縁部に面取りが施され、互いに対向する傾斜面によって、逆ハ字状のテーパ断面が形成されたものもある。
【０００５】
そこで、従来では、透水孔の開口部を覆う透水孔カバーを使用し、透水孔を保護するとともに車椅子の脱輪やハイヒールの踵部分が嵌り込むのを防止して安全性を高めるようにしている（例えば、特許文献１、特許文献２を参照）。
【０００６】
この透水孔カバーは、透水孔を覆うカバー本体と、カバー本体を透水孔に固定するための取付具とを備え、カバー本体を透水孔開口部に嵌め込むとともに固定具を透水孔の内周面又は水路側開口縁部に係合させることによって固定されるようになっている。
【先行技術文献】
【特許文献】
【０００７】
【特許文献１】特開平１０−１３１２７３号公報
【特許文献２】特開２００５−３３６９５１号公報
【発明の概要】
【発明が解決しようとする課題】
【０００８】
しかしながら、側溝に形成される透水孔は、使用される部材等によってその向きや長さが一様ではなく、透水孔カバーの長さも透水孔毎に設定されるものであった。
【０００９】
一方、従来の透水孔カバーは、取付具の位置が予め設定されているため、設置される透水孔の形状に合わせて設計する必要があり、設置現場において長さを調節することができず、汎用性に乏しいという問題があった。
【００１０】
また、側溝に形成される透水孔には、開口部の横幅が小さいスリット状に形成され、その開口側縁部に面取りが施された形状のものがあり、このような形状の透水孔に嵌合する透水孔カバー本体は、取り付け具によって固定されるまで不安定な状態にあり、場合によって、透水孔内に落下するおそれもあった。
【００１１】
そこで本発明は、上述の従来技術の問題を鑑み、多様な長さの透水孔に対応することができ、容易且つ確実に透水孔に固定することができる透水孔カバーの提供を目的とする。
【課題を解決するための手段】
【００１２】
上述の如き従来の問題を解決するための請求項1に記載の発明の特徴は、コンクリート体に形成された透水孔の表面側開口部に嵌合されるカバー本体と、該カバー本体を前記透水孔に固定するための１又は複数の取り付け具とを備えた透水孔カバーにおいて、前記カバー本体は、取り付け作業用孔を有するカバー板と、該カバー板の両側縁に支持された一対の係止片とを備え、前記取り付け具は、前記両係止片に支持されて前記カバー板下にスライド可能に挿入されたスライド駒と、該スライド駒に締め付けボルトを介して支持され、該締め付けボルトの締め付けによって前記透水孔の内側面又は水路側開口縁部と係合する係合部材とを備え、前記スライド駒をスライドさせて任意の前記取り付け作業用孔の位置に合わせた状態とし、前記カバー本体を前記透水孔の表面側開口部に嵌合させ、前記締め付けボルトを締め付け、前記係合部材を前記透水孔の内側面又は水路側開口縁部と係合させるようにしたことを特徴とする透水孔カバー。
【００１３】
請求項２に記載の発明の特徴は、請求項１の構成に加え、前記スライド駒は、前記両係止片の下端より下向きに突出する転倒防止凸部を備えていることにある。
【００１４】
請求項３に記載の発明の特徴は、請求項１又は２の構成に加え、前記係止片は、互いに斜め下内向きに突出した傾斜板部を有する形状に形成され、前記スライド駒には、前記締め付けボルトの回転に連動して前記傾斜板部を押圧し、前記透水孔の開口縁部に形成された面取り部に当接させる押圧部を備えていることにある。
【００１５】
請求項４に記載の発明の特徴は、請求項１〜３の何れか一の構成に加え、前記係合部材は、前記締め付けボルトの回転によってボルト軸方向に移動する係合操作部材と、前記締め付けボルトの前記スライド駒と前記係合操作部材との間に挿通された基板の両側縁より一対の弾性片部が下向きに延出してなる係合部材とを備え、前記締め付けボルトを回転させ、前記係合操作部材を前記弾性片部間に移動させることによって、前記係合操作部材に押圧されて前記弾性片部が前記透水孔の内面に係合するようにしたことにある。
【発明の効果】
【００１６】
本発明に係る透水孔カバーは、請求項１に記載の構成を具備することによって、側溝を構成するコンクリート体に形成された透水孔に合わせて、カバー本体の長さ及び取付具の位置を調整することができるので、多様な透水孔に対応でき、コストの低減を図ることができる。
【００１７】
また、本発明において、請求項２に記載の構成を具備することによって、転倒防止凸部が透水孔に案内され、取り付け具によって固定されるまでの間、カバー本体を透水孔に対し安定した状態に保持させることができる。
【００１８】
さらに、本発明において、請求項３に記載の構成を具備することによって、開口縁部が面取りされた透水孔にカバー本体を安定して嵌合させることができる。
【００１９】
さらにまた、本発明において、請求項４に記載の構成を具備することによって、取り付け具を透水孔に確実に固定できる。
【図面の簡単な説明】
【００２０】
【図１】本発明に係る透水孔カバーの実施態様を示す分解斜視図である。
【図２】同上の透水孔カバーを設置した状態を示す断面図である。
【図３】（ａ）は図１中のカバー本体を示す平面図、（ｂ）は同側面図、（ｃ）は同断面図である。
【図４】（ａ）は同上のカバー本体の他の実施例を示す平面図、（ｂ）は同側面図、（ｃ）は同断面図である。
【図５】同上の透水孔カバーを示す断面図である。
【図６】（ａ）はスライド駒を示す正面図、（ｂ）は同平面図である。
【図７】（ａ）は操作部材を示す正面図、（ｂ）は同平面図である。
【図８】（ａ）は弾性係止体を示す正面図、（ｂ）は同平面図である。
【図９】同上の透水孔カバーの取り付け作業の状態を示す拡大斜視図である。
【図１０】同上の透水孔カバーの他の実施例を示す断面図、（ｂ）は同取り付けた状態の断面図である。
【発明を実施するための形態】
【００２１】
次に、本発明に係る透水孔カバー５の実施態様を図１〜図８に示した実施例に基づいて説明する。
【００２２】
尚、図中符号１は、側溝を構成するコンクリート体であって、このコンクリート体１の表面に内部水路２と連通した透水孔３が形成され、透水孔３を通じて内部水路２に雨水等が流入するようになっている。
【００２３】
透水孔３は、傾斜した内側面が互いに対向した水路側が広いテーパ穴状に形成され、その表面側開口縁部に面取り部４が形成されている。
【００２４】
面取り部４は、互いに対向し、表面側に拡開する断面逆ハの字状を成し、この面取り部４を含む表面側開口部を透水孔カバー５で覆うようになっている。
【００２５】
透水孔カバー５は、透水孔３の表面側開口部に嵌合されるカバー本体６と、カバー本体６を透水孔３に固定するための１又は複数の取り付け具７，７とを備え、カバー本体６を透水孔３の表面側開口部に嵌め込み、取り付け具７，７で固定するようになっている。
【００２６】
カバー本体６は、図３に示すように、ステンレス等の金属製板材によって構成され、長板状のカバー板８と、カバー板８の両側縁に支持された一対の係止片９，９とを備え、透水孔３の長さに合わせた長さとなっている。
【００２７】
カバー板８は、横幅が透水孔３の表面側開口部幅、即ち、対向する面取り部４，４の上端間幅に合わせて形成され、透水孔３の表面側開口を覆うようになっている。
【００２８】
このカバー板８には、長手方向に間隔をおいて複数の取水孔１０，１０…が形成され、この取水孔１０，１０…を通して雨水等の水が透過するようになっている。
【００２９】
取水孔１０，１０…は、例えば、丸長孔状に形成され、カバー板８の中央に所定の間隔を置いて直列に配置され、取り付け具７の取り付け作業用孔としても使用する。
【００３０】
尚、取水孔１０，１０…は、例えば、カバー板８の側縁と係止片９，９とに跨る配置に備え、取り付け具７の取り付け作業用孔を別途に備えてもよい。
【００３１】
係止片９，９は、カバー板８の側縁より互いに斜め下内向きに突出した傾斜板部によって構成され、両係止片９，９が断面逆ハ字状を成し、カバー板８下に両係止片９，９に挟まれたスライド溝１１が形成されている。
【００３２】
尚、係止片９の態様は、上述の実施例に限定されず、例えば、図４に示すように、傾斜板部９ａの下縁より下向きに延出し、透水孔３内に嵌まり込む嵌合片９ｂを一体に備えてもよい。
【００３３】
また、係止片９は、透水孔３の開口縁部の形状によって、傾斜板部を備えず、カバー本体８の両側縁より下向きに延出した鉛直片と鉛直片の下縁より内向きに張り出した水平突出片とによって構成され、カバー本体がＣ型チャンネル状を成すようにしたものであってもよい。
【００３４】
そして、スライド溝１１には、一又は複数の取り付け具７，７がスライド可能に挿入され、各取り付け具７，７を任意の取水孔１０，１０…（取り付け作業用孔）の位置に移動できるようになっている。
【００３５】
取り付け具７は、両係止片９，９に支持されてカバー板８下のスライド溝１１にスライド可能に挿入されたスライド駒１２と、スライド駒１２に締め付けボルト１３を介して支持された係合部材１４とを備え、締め付けボルト１３の締め付けによって係合部材１４を透水孔３の内側面と係合させるようになっている。
【００３６】
スライド駒１２は、図に示すように、直方体状に形成され、中央にボルト挿通孔１５が形成されている。
【００３７】
また、スライド駒１２には、両側部上部に突出した押圧部１６，１６を備え、押圧部１６，１６が締め付けボルト１３の回転に連動して係止片９の傾斜板部を押圧し、透水孔３の開口縁部に形成された面取り部４に当接させるようになっている。
【００３８】
押圧部１６，１６は、下側に傾斜面１６ａを有するテーパ状に形成され、傾斜面１６ａが係止片９，９と係合し、スライド駒１２の下半部が両係止片９，９の下端より下向きに突出する。
【００３９】
両係止片９，９の下端より下向きに突出した下半部は、転倒防止凸部１７を成し、転倒防止凸部１７が透水孔３の内側面に案内されることによって、カバー本体６の転倒を防止できるようになっている。
【００４０】
締め付けボルト１３は、ネジ部１３ａがボルト挿通孔１５を通してスライド駒１２の下側、即ちカバー本体６とは反対側に突出され、頭部１３ｂがボルト挿通孔１５の開口縁部に支持され、スライド駒１２に対し、回転自在に支持されるようになっている。
【００４１】
係合部材１４は、締め付けボルト１３に螺合された操作部材１８と、透水孔３の内側面に係止される弾性係止体１９とをもって構成されている。
操作部材１８は、両側面に上側が互いに近づくように傾斜した傾斜部１８ａ，１８ａを備え、長手方向長さが透水孔３の幅方向長さより長くなるように樹脂コンクリート（レジンコンクリート）によって形成されている。
【００４２】
また、操作部材１８は、中央部に上下方向に貫通した雌ネジ部２０が形成され、雌ネジ部２０を締め付けボルト１３に螺合させることによって、締め付けボルト１３を回転させることにより、締め付けボルト１３に対し軸方向移動、即ち上下移動するようになっている。
【００４３】
弾性係止体１９は、スライド駒１２と操作部材１８との間に配置された基板部２１と、基板部２１の両側縁より下向きに突出した一対の弾性係止片部２２，２２と、弾性係止片部２２，２２の先端内側縁より斜め上向きに突出した弾性押圧部２３とをもって一体に構成されている。
【００４４】
基板部２１は、中央部にボルト挿通孔２４を有する平板状に形成され、スライド駒１２と操作部材１８との間でボルト挿通孔２４に締め付けボルト１３を通すことによって、スライド駒１２と操作部材１８との間に配置されるようになっている。
【００４５】
弾性係止片部２２，２２は、基板部２１の両側縁より連続して下向きに突出して形成され、基板部２１との境界部を基端として弾性変形するようになっている。
【００４６】
弾性押圧部２３は、弾性係止片部２２，２２の先端部内側縁より斜め上向きに突出して一体に形成され、弾性係止片部２２，２２との境界部を基端として弾性変形するようになっている。
【００４７】
次に、この透水孔カバー５の取り付け方法について説明する。
【００４８】
先ず、必要に応じて、透水孔３の長さに合わせてカバー本体６を切断し、その長さに応じて必要数の取り付け具７，７、即ち、スライド駒１２をスライド溝１１に挿入し、両係止片９，９にスライド駒１２に支持させる。
【００４９】
その際、操作部材１８、即ち操作部材１８の雌ネジ部を締め付けボルト１３に対して相対的に回転させて操作部材１８を締め付けボルト１３の先端側に移動させ、操作部材１８の傾斜部１８ａと弾性押圧部２３の外側面とを互いに当接させた状態とする。
【００５０】
次に、図に示すように、スライド駒１２をスライド溝１１内でスライドさせて任意の取水孔１０，１０…（取り付け作業用孔）の位置に合わせた状態とし、図に示すように、この状態で取り付け具７を透水孔３に挿入するとともに、カバー本体６を透水孔３の開口部に嵌め込む。
【００５１】
このとき、スライド駒１２の転倒防止凸部１７が係止片９，９の下端より下に突出し、透水孔３に案内されているので、カバー本体６は、固定されていない不安定な状態にあっても転倒することがない。
【００５２】
そして、カバー本体６の取水孔１０，１０…（取り付け作業用孔）より締め付けボルト１３の頭部の六角孔に六角レンチを挿入し、所定の方向に回転させることにより、操作部材１８をスライド駒１２側に移動させると、操作部材１８が弾性係止体１９をスライド駒１２側に押し上げる。
【００５３】
さらに締め付けボルト１３を回転させると、操作部材１８の傾斜部が弾性押圧部２３を介して弾性係止片部２２，２２を外向きに押圧し、徐々に両弾性係止片部２２，２２を八字状に拡開させ、弾性押圧部２３が操作部材１８の側面と弾性的に接触し、その位置で両弾性係止片部２２，２２が最大の応力で外向き押圧され、両弾性係止片部２２，２２が透水孔３内側面に弾性的に接触して係止される。
【００５４】
また、締め付けボルト１３を回転させ締め付けると、それに連動してボルト頭部によってスライド駒１２に下向きに力が加わり、スライド駒１２の押圧部１６，１６が係止片９，９の傾斜板部を押圧し、傾斜板部を透水孔３の開口縁部に形成された面取り部４に当接させ、カバー本体６が透水孔３の開口縁部に対し楔状に嵌合され、透水孔カバー５が透水孔３に対して固定される。
【００５５】
このように構成された透水孔カバー５は、カバー本体６に対し取り付け具７，７…がスライド可能に支持されているので、取り付け具７の位置を任意に決定することができ、カバー本体６の長さを自由に調節することができる。
【００５６】
また、この透水孔カバー５は、締め付けボルト１３を締め付けることで、スライド駒１２の押圧部１６，１６がカバー本体６の係止片９，９を押圧しつつ摺動するので、透水孔３の開口縁部に形成された面取り部５にカバー本体５が楔状に嵌め込まれ、安定した固定状態を維持することができる。
【００５７】
さらに、この透水孔カバー５は、スライド駒１２に転倒防止凸部１７を備えることによって、図３に示す嵌合片９ｂを有しないカバー本体を使用する場合であっても、取り付け具７によって固定されるまでの不安定な状態にカバー本体６の転倒を防止することができる。
【００５８】
尚、上述の実施例では、操作部材１８と弾性係止体１９とからなる係止部材について説明したが、係止部材の態様は、上述の実施例に限定されず、例えば、図１０に示す係止部材３０のように、締め付けボルト１３と螺合するナット部３２を一体に有する基板部３１と、基板部３１の両側縁より下向きに延出した弾性係止片３３、３３と、弾性係止片３３の下端より外向きに張り出した弾性押圧片３４を有するものであってもよい。尚、上述の実施例と同様の構成には同一符号を付して説明を省略する。
【符号の説明】
【００５９】
１  コンクリート体
２  内部水路
３  透水孔
４  面取り部
５  透水孔カバー
６  カバー本体
７  取り付け具
８  カバー板
９  係止片
１０  取水孔（取り付け作業用孔）
１１  スライド溝
１２  スライド駒
１３  締め付けボルト
１４  係合部材
１５  ボルト挿通孔
１６  押圧部
１７  転倒防止凸部
１８  操作部材
１９  弾性係止体
２０  雌ネジ部
２１  基板部
２２  弾性係止部
２３  弾性押圧部
２４  ボルト挿通孔
【図１】
2020016108.tif 000003
【図２】
2020016108.tif 000004
【図３】
2020016108.tif 000005
【図４】
2020016108.tif 000006
【図５】
2020016108.tif 000007
【図６】
2020016108.tif 000008
【図７】
2020016108.tif 000009
【図８】
2020016108.tif 000010
【図９】
2020016108.tif 000011
【図１０】
2020016108.tif 000012